(57)【要約】【課題】既設の熱源を利用して濡れたタオルを乾燥させることができ、かつ、使い勝手のよいタオル掛けを備えたミラーキャビネットを提供する。【解決手段】洗面化粧台の鏡９の裏面に付設された曇り止めヒータ１の上方にタオル掛け部２を設け、該鏡９の裏面側にタオルＴ１を掛けた状態で収納し得るタオル収納部３を設け、このタオル収納部３の前面を開閉するように上記鏡９の端部が回動自在に軸支されるとともに、上記曇り止めヒータ１に通電することによってタオルＴ１を乾燥可能とされたミラーキャビネットＡ。好ましくは、上記曇り止めヒータ１は面ヒータ１１と放熱板１２とからなり、該放熱板１２には放熱スリット１２１が設けられる。【選択図】図１
2006055405.tif 000002
【特許請求の範囲】
【請求項１】
洗面化粧台の鏡の裏面に付設された曇り止めヒータの上方にタオル掛け部を設け、該鏡の裏面側にタオルを掛けた状態で収納し得るタオル収納部を設け、このタオル収納部の前面を開閉するように上記鏡の端部が回動自在に軸支されるとともに、上記曇り止めヒータに通電することによってタオルを乾燥可能とされたミラーキャビネット。
【請求項２】
上記曇り止めヒータは面ヒータと放熱板とからなり、該放熱板には放熱スリットが設けられた請求項１に記載のミラーキャビネット。
【請求項３】
上記タオル収納部の背板に、Ｌ字型タオル掛け部がさらに設けられるとともに、該Ｌ字型タオル掛け部のタオル掛けバーが折り曲げ自在とされた請求項１に記載のミラーキャビネット。
【請求項４】
上記タオル掛け部の略直角に形成された両端部が係合部を有するとともに、この係合部が上下移動自在に２条のスライドレールに係合し、該係合部に内設されたスプリングによって常に上方に付勢された請求項１に記載のミラーキャビネット。
【発明の詳細な説明】
【技術分野】
【０００１】
本発明は、ミラーキャビネットに関する。さらに詳しくは、タオル乾燥機能およびタオル収納機能を有するミラーキャビネットに関する。
【背景技術】
【０００２】
従来、面ヒータを内蔵したタオル掛けを壁面に取り付け、濡れたタオルをタオル掛けに掛けた状態で乾燥させるタオル掛けパネルが知られている。また、洗面ボウル下方のキャビネットの前面開口部を開閉する扉パネル内側にタオル収納凹部を設けるとともに、面ヒータを貼設してタオル乾燥機能を備えた洗面キャビネットも知られている。
【特許文献１】特開平８−１５００９０号公報（第１−４頁、第１図、第３図）
【発明の開示】
【発明が解決しようとする課題】
【０００３】
しかしながら、上記技術においては、タオル乾燥用としての熱源を別途設ける必要があり、また、洗面や手洗い後の濡れた手を拭く際には壁側に向いたり、洗面ボウル下方にしゃがんだりして身体の向きを変えねばならず、使い勝手のよいものとはいえない。本発明はこのような状況の下で考え出されたものであって、別途、熱源を必要とすることなく、ミラーキャビネットに既に備えられた熱源を利用して濡れたタオルを乾燥することができるとともに、使い勝手よくタオルを使用できるミラーキャビネットを提供することを、その課題とする。
【課題を解決するための手段】
【０００４】
上記課題を解決するため、本発明においては、つぎのような技術的手段を講じている。すなわち、本発明によれば、洗面化粧台の鏡の裏面に付設された曇り止めヒータの上方にタオル掛け部を設け、該鏡の裏面側にタオルを掛けた状態で収納し得るタオル収納部を設け、このタオル収納部の前面を開閉するように上記鏡の端部が回動自在に軸支されるとともに、上記曇り止めヒータに通電することによってタオルを乾燥可能とされたミラーキャビネットが提供される。
【０００５】
上記曇り止めヒータは面ヒータと放熱板とからなるとともに、該放熱板には放熱スリットが設けられることが好ましい。また、上記タオル収納部の背板にＬ字型タオル掛け部が設けられるとともに、該Ｌ字型タオル掛け部のタオル掛けバーが折り曲げ自在とされる。さらに、変形例として、請求項１に記載のタオル掛け部の略直角に形成された両端部が係合部を有するとともに、この係合部が上下移動自在に２条のスライドレールに係合し、該係合部に内設されたスプリングによって常に上方に付勢された形態とすることもできる。
【発明の効果】
【０００６】
請求項１に記載の発明は上記のとおりであり、洗面化粧台の鏡の裏面に付設された曇り止めヒータの上方にタオル掛け部を設け、上記曇り止めヒータに通電することによってタオルを乾燥可能とされているため、ミラーキャビネットに別途、熱源を設けることなく、既存の熱源を利用して濡れたタオルを乾かすことができるとともに、タオルをタオル掛け部に掛けた状態で収納することができる。
【０００７】
上記曇り止めヒータは面ヒータと放熱板とからなり、該放熱板には放熱スリットが設けられているため、上記面ヒータの熱を効率よく放熱して濡れたタオルを短時間で乾燥させることができる。
【０００８】
上記タオル収納部の背板に設けられたＬ字型タオル掛け部のタオル掛けバーが折り曲げ自在とされているため、タオル掛けバーを伸ばしてタオルを掛け、タオルを掛けた後、折り曲げて収められるため、使い勝手よくタオルを使用でき、また、２枚のタオルを上記タオル収納部に収納することができる。
【０００９】
上記タオル掛け部の略直角に形成された両端部が係合部を有するとともに、この係合部が上下移動自在に２条のスライドレールに係合し、該係合部に内設されたスプリングによって常に上方に付勢されているため、鏡を閉じたまま、タオルの下端を引き出すことにより、タオル掛け部がスライドして下方に移動し、タオルを使い勝手よく使用することができる。また、使用後は、上記タオル掛け部がスプリングによって常に上方に付勢されているため、自動的に上方に移動してタオルを収納することができる。
【発明を実施するための最良の形態】
【００１０】
以下、本発明の実施形態について図面を参照して、詳細に説明する。図１は、本発明にかかるミラーキャビネットＡを示す斜視図である。図１からよくわかるように、上記ミラーキャビネットＡは洗面ボウル５を備えた洗面化粧台の上部に位置し、鏡９の裏面には曇り止めヒータ１が付設され、その上方にはタオル掛け部２が固定されるとともに、該鏡の裏面側にはタオルを掛けた状態で収納し得るタオル収納部３が設けられている。また、鏡９は、このタオル収納部３の前面を開閉するように回動自在に軸支され、上記曇り止めヒータ１は、面ヒータ１１とこの面ヒータ１１を覆う放熱板１２とからなり、放熱板１２には放熱スリット１２１が設けられている。
【００１１】
さらに、上記タオル収納部３の背板３１にはＬ字型タオル掛け部４が設けられ、上記Ｌ字型タオル掛け部４のタオル掛けバー４１は折り曲げ自在とされている。図１からよくわかるように、上記タオル掛けバー４１は折り曲げ自在であるため、例えば、同図点線で示す如くタオル掛けバー４１を伸ばしてタオルを掛けるとともに、タオルを掛けた状態で折り曲げて使い勝手よく収納できる。
【００１２】
図２は、上記Ｌ字型タオル掛け部４にタオルＴ２を掛けて収納した状態を示す斜視図である。また、図２は、上記曇り止めヒータ１に通電し、濡れたタオルＴ１を乾燥する状態も示す。濡れたタオルＴ１を乾燥させた後、鏡９を閉じることにより、タオルＴ１もタオル収納部３に収納することができ、合わせて２枚のタオルを収納できる。図３は、乾燥後のタオルＴ１を用いて手を拭く状態を示す説明図である。図３からよくわかるように、タオルＴ１が洗面ボウルの上方に位置するように鏡９を回動して濡れた手をタオルＴ１で拭けば、手からの水滴は洗面ボウル５内に滴下するため、周囲を濡らすことなく、洗面化粧台回りを清潔に保つことができる。
【００１３】
図４は、本発明にかかる実施形態の変形例を示す斜視図である。この変形例においては、鏡９の裏面におけるタオル掛け部６の略直角に形成された両端部が係合部６１を有し、この係合部６１がスライドレール７に内設されたスプリング８によって常に上方に付勢されるとともに、上記２条のスライドレール７によって上下にスライド自在に支持されている。このようにすることによって、鏡９を閉じたまま、タオルＴ１の下端を僅かに覗かせ、この下端を引き出せば、タオル掛け部６がスライド自在に上下するため、タオルＴ１を使い勝手よく使用することができる。使用後は、上記タオル掛け部６がスプリング８によって上方に付勢され、自動的に上方に移動してタオルＴ１を収納することができる。
【００１４】
以上述べたように、本発明のミラーキャビネットＡを用いれば、洗面ボウル５の上方で手を拭くことができるため、洗面や手洗い後に横方向や縦方向への体の移動を伴わず、使い勝手よくその場でタオルを使用できる。また、手からの水滴は洗面ボウル５内に落ちるため、洗面化粧台のカウンターを清潔に保つことができる。なお、本実施形態においてはタオル掛け部２として平面視略コの字型のものを用いたが、これに限られず、Ｌ字型のものを用いる等、随時設計変更可能であり、特許請求の範囲を逸脱しない限り本発明の技術的範囲に含まれる。
【図面の簡単な説明】
【００１５】
【図１】本発明にかかるミラーキャビネットを示す斜視図である。
【図２】曇り止めヒータに通電し濡れたタオルを乾燥するとともに、Ｌ字型タオル掛け部にタオルを掛けて収納した状態を示す斜視図である。
【図３】本発明にかかるミラーキャビネットを用いタオルで手を拭く状態を示す説明図である。
【図４】本発明のミラーキャビネットにおいてタオル掛け部の変形例を示す斜視図である。
【符号の説明】
【００１６】
Ａ          洗面化粧台
Ｔ１        タオル
Ｔ２        タオル
１          曇り止めヒータ
１１        面ヒータ
１２        放熱板
１２１      放熱スリット
２          タオル掛け部
３          タオル収納部
３１        背板
４          Ｌ字型タオル掛け部
４１        タオル掛けバー
５          洗面ボウル
６          変形例におけるタオル掛け部
６１        係合部
７          スライドレール
８          スプリング
９          鏡
【図１】
2006055405.tif 000003
【図２】
2006055405.tif 000004
【図３】
2006055405.tif 000005
【図４】
2006055405.tif 000006